(57)【要約】【課題】分解及び組立てを容易に行えるようにしたベッド装置を提供することにある。【解決手段】ベースフレームの上面に上下駆動ユニットによって上下方向に駆動可能に設けられる上下フレームと、複数の床部に分割されるとともに、隣り合う各床部が回動可能に連結されていて、そのうちの１つの床部が上下フレームに固定されて上下フレームの上面に設けられる床板体と、駆動源６８，７０を有して上下フレームに着脱可能に取付けられ、駆動源によって床板体の床部のうちの起伏可能な床部を起伏駆動する起伏駆動ユニット６３を具備する。【選択図】図７
2018153321.tif 000002
【特許請求の範囲】
【請求項１】
ベースフレームと、
このベースフレームの上面に上下駆動ユニットによって上下方向に駆動可能に設けられる上下フレームと、
複数の床部に分割されるとともに、隣り合う各床部が回動可能に連結されていて、そのうちの１つの床部が前記上下フレームに固定されて前記上下フレームの上面に設けられる床板体と、
駆動源を有して前記上下フレームに着脱可能に取付けられ、前記駆動源によって前記床板体の前記床部のうちの起伏可能な床部を起伏駆動する起伏駆動ユニットと
を具備したことを特徴とするベッド装置。
【請求項２】
ベースフレームと、
このベースフレームの上面に上下駆動ユニットによって上下方向に駆動可能に設けられる上下フレームと、
複数の床部に分割されるとともに、隣り合う各床部が回動可能に連結されていて、そのうちの１つの床部が前記上下フレームに固定されて前記上下フレームの上面に設けられる床板体と、
ユニットベース及びこのユニットベースに設けられた駆動源を有して前記上下フレームに着脱可能に取付けられ、前記駆動源によって前記床板体の前記床部のうちの起伏可能な床部を起伏駆動する起伏駆動ユニットと
を具備したことを特徴とするベッド装置。
【請求項３】
前記床板体は、前記上下フレームに固定される固定床部と、この固定床部の一端側に回動可能に連結される背床部と、前記固定床部の他端側に回動可能に連結される脚床部を有し、
前記駆動源は、前記背床部を起伏駆動する背用駆動源と、前記脚床部を起伏駆動する脚用駆動源であることを特徴とする請求項１又は請求項２のいずれかに記載のベッド装置。
【請求項４】
前記駆動源は、前記背床部を起伏駆動する背用駆動源と、前記脚床部を起伏駆動する脚用駆動源であって、
前記ユニットベースは、
連結杆と、
断面コ字状であって、開放した面を下方に向けて前記連結杆の一端に側辺を連結固定して設けられ前記背用駆動源と前記脚用駆動源のうちの一方が取付けられた第１の係止部材と、
断面コ字状であって、開放した面を前記連結杆の長手方向外方に向けてこの連結杆の他端に側辺を連結して設けられ前記背用駆動源と前記脚用駆動源のうちの他方が取付けられた第２の係止部材によって構成されていて、
前記上下フレームは所定間隔で離間対向した一対の縦杆、これら縦杆の長手方向中途部に前記長手方向に所定間隔で離間して架設された一対の横杆を有し、
前記ユニットベースは、一対の前記横杆に前記第１の係止部材と前記第２の係止部材をそれぞれ係合させて設けられることを特徴とする請求項２記載のベッド装置。
【請求項５】
前記第２の係止部材には上辺と下辺との対応する位置に貫通する第１の挿入孔が形成され、前記第２の係止部材が係合する一方の横杆には前記第１の挿入孔と対応する位置に上下方向に貫通する第２の挿入孔が形成されていて、
前記第１の挿入孔と前記第２の挿入孔には連結軸が挿通され、前記第２の係止部材の下辺と前記横杆の下面との間には、前記連結軸に弾性的に係合してこの連結軸が前記第１、第２の挿入孔から抜出するのを阻止する合成樹脂製の係止具が着脱可能に挿入されることを特徴とする請求項４記載のベッド装置。
【請求項６】
前記上下フレームは、
所定間隔で離間対向した一対の縦杆、これら縦杆の長手方向中途部に所定間隔で架設された一対の横杆によって形成された中央フレーム部と、
前記中央フレーム部の幅寸法よりも大きな幅寸法の凹部を有し、その凹部に前記中央フレーム部の長手方向の一端部と他端部をそれぞれ入り込ませて前記中央フレーム部に保持される一対の端部フレーム部とに分割されていて、
前記中央フレーム部の縦杆と、この縦杆に対向位置する前記端部フレーム部の縦部材とには互いに連通する挿入孔が穿設され、これら挿入孔には連結軸が着脱可能に挿通されるようになっていて、
前記縦杆と前記縦部材との間に形成される隙間には、前記連結軸に弾性的に係合してこの連結軸が前記挿入孔から抜出するのを阻止する合成樹脂製の係止具が着脱可能に挿入されることを特徴とする請求項１又は請求項２記載のベッド装置。
【請求項７】
前記係止具は、
矩形状の板状部と、この板状部の長手方向の中途部に突設されたフランジ部と、前記板状部の長手方向の一端部に形成された手掛け孔と、前記板状部の長手方向の他端部に先端を開放させて前記連結軸に形成された環状溝の部分の外形寸法よりもわずかに小さな間隔で形成された溝部と、この溝部の後端に形成され前記溝部を前記連結軸に弾性的に係合させてスライドさせたときに前記環状溝に係合する円弧部とが合成樹脂によって一体成形されていることを特徴とする請求項５又は請求項６のいずれかに記載のベッド装置。
【請求項８】
前記ベースフレームの長手方向の一端部と他端部にはそれぞれ一対の支持部材が立設され、これら支持部材には上端に開放した受け部を有する受け部材が設けられていて、
前記上下駆動ユニットは上下用駆動源、この上下用駆動源によって回転駆動されるとともに前記上下フレームの四隅部がそれぞれの端面に回動可能に連結される一対の回転軸、一対の前記回転軸の両端部に基端が連結され先端に支軸が設けられた一対の駆動アームを有し、
前記上下駆動ユニットは、前記支軸が前記受け部材の前記受け部に回転可能に支持され、前記受け部材には前記支軸が前記受け部から外れるのを阻止するストッパ部材が着脱可能に取付けられることを特徴とする請求項１又は請求項２のいずれかに記載のベッド装置。
【請求項９】
所定間隔の隙間を介して配置される第１の部材と第２の部材を分解可能に連結する連結装置であって、
前記第１の部材に穿設された第１の挿通孔と、
前記第２の部材に前記第１の挿通孔と対応して穿設された第２の挿通孔と、
前記第１の挿通孔と前記第２の挿通孔に着脱可能に挿通される連結軸と、
前記隙間に挿通され前記連結軸の前記隙間に位置する部分に弾性的に係合して前記連結軸が前記挿通孔から抜出するのを阻止する合成樹脂製の係止具と
を具備したことを特徴とする連結装置。
【発明の詳細な説明】
【技術分野】
【０００１】
この発明はたとえば病人や老人等のように体力が低下した利用者が病院などで用いるのに好適するベッド装置に関する。
【背景技術】
【０００２】
自力によって上半身を起こすことができなかったり、起こした姿勢を維持することが困難な利用者が用いるベッド装置として、背上げ式のベッド装置が知られている。
【０００３】
背上げ式のベッド装置は、床板体の背床部を起伏駆動する背上げ機能だけでなく、利用者が前記床板体の上面に設けられたマットレスに対して容易に乗り降りできるよう、前記床板体が載置されるフレーム（上下フレーム）の高さを変える上下駆動機能を備えるようにしたものが知られている。
【０００４】
背上げ機能と上下駆動機能を備えたベッド装置はベースフレームを有する。このベースフレームに上下駆動ユニットによって前記上下フレームが上下駆動可能に設けられている。この上下フレームの上面には前記床板体が設けられる。この床板体は複数の床部に分割され、これら複数の床部が互いに回動可能に連結されている。
【０００５】
複数の床部のうちの、中央部分に位置する床部は前記上下フレームに固定される固定床部であって、この固定床部の一側には背床部が回動可能に連結され、他側には脚床部が回動可能に連結される。
【０００６】
前記上下フレームの下面側には起伏駆動ユニットが設けられる。この起伏駆動ユニットには前記背床部を起伏駆動する背用駆動源と、前記脚床部を起伏駆動する脚用駆動源を有する。
【０００７】
ところで、上述したように背上げ機能や上下駆動機能を有するベッド装置は、通常の家庭用のベッド装置に比べて部品点数が多いばかりか、重量物である駆動源を備えるため、大型化や高重量化を招くということが避けられない。
【０００８】
そこで、従来は上述した構成のベッド装置を工場から出荷する際、このベッド装置をベースフレーム、上下フレーム及び床板体及び駆動源に分解し、病院などの納入先に分解状態で搬入した後、組み立てるということが行われている。
【０００９】
さらに、搬入作業、及び搬入後の組立て作業を容易化するため、前記ベッド装置を単に各フレーム及び床板体に分解できるようにするだけでなく、前記上下フレームなどや床板体をさらに複数に分割できるようにするということも行われている。
【先行技術文献】
【特許文献】
【００１０】
【特許文献１】特開２００１−２５８９５３号公報
【発明の概要】
【発明が解決しようとする課題】
【００１１】
ところで、背上げ機能を備えたベッド装置においては、上述したように前記上下フレームの下面側に前記床板体の背床部を起伏駆動するための起伏駆動ユニットを設けるようにしている。
【００１２】
しかしながら、従来のベッド装置では、このベッド装置を構成する各フレームをフレームごとに分割可能な構成としたり、さらに各フレーム及び床板体を複数に分割するということは行われているものの、前記起伏駆動ユニットを前記上下フレームに対して着脱可能に設けるということが行われていなかった。
【００１３】
ところで、前記起伏駆動ユニットはモータなどの駆動源を備えているため、この起伏駆動ユニットが設けられた前記上下フレームは他のフレームに比べてかなり高重量化することが避けられない。
【００１４】
そのため、ベッド装置を単にフレーム毎に分割しても、前記起伏駆動ユニットが一体化されて高重量化した前記上下フレームを運んだり、組立てたりしなければならないから、それらの作業に多くの労力や手間が掛かり、作業者の負担が増大したり、作業性が大幅に低下するということがあった。
【００１５】
この発明は、床板体の床部を起伏駆動する駆動源をユニット化し、上下フレームに対して着脱可能に取付けることができるようにすることで、前記上下フレームの搬入作業や搬入後の組立て作業を容易に行えるようにしたベッド装置を提供することにある。
【課題を解決するための手段】
【００１６】
この発明は、ベースフレームと、
このベースフレームの上面に上下駆動ユニットによって上下方向に駆動可能に設けられる上下フレームと、
複数の床部に分割されるとともに、隣り合う各床部が回動可能に連結されていて、そのうちの１つの床部が前記上下フレームに固定されて前記上下フレームの上面に設けられる床板体と、
駆動源を有して前記上下フレームに着脱可能に取付けられ、前記駆動源によって前記床板体の前記床部のうちの起伏可能な床部を起伏駆動する起伏駆動ユニットと
を具備したことを特徴とするベッド装置にある。
【００１７】
この発明は、ベースフレームと、
このベースフレームの上面に上下駆動ユニットによって上下方向に駆動可能に設けられる上下フレームと、
複数の床部に分割されるとともに、隣り合う各床部が回動可能に連結されていて、そのうちの１つの床部が前記上下フレームに固定されて前記上下フレームの上面に設けられる床板体と、
ユニットベース及びこのユニットベースに設けられた駆動源を有して前記上下フレームに着脱可能に取付けられ、前記駆動源によって前記床板体の前記床部のうちの起伏可能な床部を起伏駆動する起伏駆動ユニットと
を具備したことを特徴とするベッド装置にある。
【発明の効果】
【００１８】
この発明によれば、床板体の床部を起伏駆動する駆動源をユニット化して起伏駆動ユニットとし、この起伏駆動ユニットを上下フレームに着脱可能に設けるようにしたから、ベッド装置をフレーム毎に分解すると同時に、起伏駆動ユニットを上下フレームに対して容易に分解したり、組立てることができる。
【００１９】
そのため、上下フレームと起伏駆動ユニットを別々に取り扱うことができるから、分解されたベッド装置の搬送や搬送後の組立てを容易かつ迅速に行うことが可能となる。
【図面の簡単な説明】
【００２０】
【図１】この発明の一実施の形態を示すベッド装置の分解斜視図。
【図２】前記ベッド装置の組立て状態の平面図。
【図３】同じく正面図。
【図４】床板体を除去したベッド装置の平面図。
【図５】同じく上下フレームを上昇させたベッド装置の正面図。
【図６】上下フレームの斜視図。
【図７】起伏駆動ユニットの斜視図。
【図８】（ａ）はベースフレームに設けられた受け部材と上下駆動ユニットの駆動アームの支軸とを連結する前の状態を示す斜視図、（ｂ）は前記受け部材と前記駆動アームとを連結した状態を示す斜視図。
【図９】（ａ）は前記受け部材の正面図、（ｂ）は図９（ａ）のＹ−Ｙ線に沿う縦断面図。
【図１０】前記受け部材に取付けられて前記受け部材の受け部に支持される支軸を保持するためのストッパ部材の斜視図。
【図１１】上下フレームの中央フレーム部と上下駆動ユニットの回転軸との連結構造を示す図。
【図１２】中央フレーム部の縦杆と端部フレーム部の縦部材との連結構造を示す断面図。
【図１３】起伏駆動ユニットの第２の係止部材と中央フレーム部の第２の支持部材との連結構造を示す断面図。
【図１４】図１２と図１３に示す連結構造に用いられる係止具の正面図。
【図１５】前記連結具の斜視図。
【発明を実施するための形態】
【００２１】
以下、この発明の実施の形態を図１乃至図１５を参照しながら説明する。  
図１はこの発明の背上げ機能と上下駆動機能を備えたベッド装置の分解斜視図、図２は組立てられたベッド装置の同じく平面図、図３は同じく正面図である。
【００２２】
前記ベッド装置はベースフレーム１を備えている。このベースフレーム１は平行に離間対向した一対の縦杆２と、これら縦杆２の長手方向の一端部と他端部に両端が連結された一対の横杆３によって矩形枠状に形成されている。前記縦杆２の長手方向両端部にはそれぞれ脚部材４が設けられている。
【００２３】
図１に示すように一対の横杆３の一方は直杆状で、他方は後述する上下駆動ユニット１３と干渉しないよう、中途部が下方に凹状に屈曲した形状となっている。  
前記ベースフレーム１の一対の横杆３にはそれぞれ一対の支持部材６が垂直に立設されている。各支持部材６は中空状であって、その上端には図８（ａ），（ｂ）に示すように合成樹脂製の受け部材７が下端部を嵌入して固定的に設けられている。
【００２４】
図９（ｂ）に示すように、前記受け部材７には上端に解放した円弧状の受け部８が形成されている。長手方向一端部と他端部に位置する一対の前記受け部材７の受け部８には、後述する上下駆動ユニット１３の一対の回転軸１４の両端部に基端を連結した各一対の駆動アーム２１の先端に設けられた支軸２０が回転可能に支持される。
【００２５】
前記受け部材７には、前記受け部８に支持される前記支軸２０の軸方向と交差する方向に差込み孔９が形成されている。前記受け部８に前記支軸２０を支持した後、前記差込み孔９には、図８（ａ），（ｂ）及び図１０に示す合成樹脂製のストッパ部材１１が挿入される。
【００２６】
前記ストッパ部材１１は下面が前記受け部８に支持された前記支軸２０（図９（ｂ）に鎖線で示す）の外周面に弾性的に接触してこの支軸２０が上方へ浮き上がらないよう回転可能に支持する。さらに、前記ストッパ部材１１の長手方向の一端には円弧状のばね部１１ａが形成され、このばね部１１ａの先端には鉤状の係止突起１１ｂが突設されている。
【００２７】
前記ストッパ部材１１を前記差込み孔９に挿入すると、図８（ｂ）に示すように前記係止突起１１ｂが前記受け部８の一側上端部に形成された凹部８ａに弾性的に係合する。それによって、前記ストッパ部材１１は前記受け部材７に弾性的に係合して着脱可能に保持されから、前記上下駆動ユニット１３は前記支軸２０を介して前記ベースフレーム１に着脱可能に保持される。
【００２８】
図１に示すように、前記上下駆動ユニット１３は一方の前記回転軸１４に一端が揺動可能に連結された上下用駆動源１５を有する。この上下用駆動源１５の他端には直線方向に駆動される駆動軸１６が設けられている。この駆動軸１６は山形状に屈曲した可動杆１７の中途部に連結軸１８によって枢着されている。
【００２９】
前記可動杆１７の一端は、一方の前記回転軸１４の中途部に設けられた一対のアーム１９ａに枢着され、他端は他方の前記回転軸１４の中途部に設けられた一対のアーム１９ｂに枢着されている。
【００３０】
一対の前記回転軸１４の軸方向両端部にはそれぞれ前記駆動アーム２１の一端が取付けられている。各駆動アーム２１の他端には前記支軸２０が設けられている。そして、一対の前記回転軸１４の両端が後述するよう上下フレーム２３の長手方向一端部と他端部にそれぞれ回動可能に連結される。
【００３１】
それによって、前記上下用駆動源１５が作動して前記駆動軸１６が前進方向或いは後退方向に駆動されると、前記回転軸１４に設けられた一対の前記駆動アーム２１が前記支軸２０を支点として起立方向或いは倒伏方向に回転駆動される。
【００３２】
前記駆動アーム２１が前記支軸２０を支点として回動すると、前記回転軸１４に連結された前記上下フレーム２３は上昇方向或いは下降方向に駆動されることになる。つまり、前記上下フレーム２３は上昇方向或いは下降方向に駆動されることになる。
【００３３】
図１と図４に示すように、前記上下フレーム２３は中央フレーム部２４と、この中央フレーム部２４の長手方向の両端部に後述するように着脱可能に取付けられる一対の端部フレーム部２５に分割されている。
【００３４】
図６に示すように、前記中央フレーム部２４は平行に離間対向した一対の第１の部材としての縦杆２７を有する。これら縦杆２７の中途部は前記中央フレーム部２４の長手方向に対して所定間隔で離間した一対の横杆である、後述する起伏駆動ユニット６３を支持するための第１の支持部材６１と第２の支持部材６２によって連結されている。
【００３５】
各縦杆２７の長手方向の両端部の内面にはそれぞれ板状の連結部材２９が垂設されている。前記連結部材２９には図１１に示すように一対の通孔３１が上下方向に穿設されている。一対の前記通孔３１には連結板３２に設けられた支軸３３と止め軸３４がそれぞれ挿通される。
【００３６】
前記支軸３３は前記上下駆動ユニット１３の前記回転軸１４の軸方向部に端面に開放して形成された支持孔１４ａに回転可能に挿入される。前記止め軸３４の前記連結部材２９から突出した端部にはＣ字状のストッパリング３５が弾性的かつ着脱可能に取付けられる。
【００３７】
つまり、前記上下駆動ユニット１３は、前記駆動アーム２１を介して前記ベースフレーム１に着脱可能に取付けられる。そして、前記上下フレーム２３の前記中央フレーム部２４は前記連結部材２９を介して前記上下駆動ユニット１３の前記回転軸１４に分解可能に取り付けられる。
【００３８】
それによって、前記上下駆動ユニット１３の前記上下用駆動源１５が作動して前記駆動軸１６が前進方向或いは後退方向に駆動されれば、その駆動方向に応じて前記駆動アーム２１が前記受け部材７に支持された前記支軸２０を支点として起立方向或いは倒伏方向に駆動されるから、前記上下フレーム２３が上昇方向或いは下降方向に駆動されることになる。
【００３９】
図１に示すように、前記端部フレーム部２５は、前記中央フレーム部２４の幅寸法よりもわずかに大きな幅寸法を有する凹部３７が所定間隔で離間した第２の部材としての一対の縦部材３８と、これら縦部材３８の一端に連結された横部材３９とによって構成されている。
【００４０】
前記端部フレーム部２５は、その凹部３７内に前記中央フレーム部２４の端部を位置させて以下のように前記中央フレーム部２４に対して着脱可能に連結される。  
すなわち、図１２に示すように前記中央フレーム部２４の縦杆２７と、前記端部フレーム部２５の縦部材３８との対応位置する箇所にはそれぞれ挿入孔２７ａ，３８ａが幅方向に貫通して穿設されている。
【００４１】
前記挿入孔２７ａ，３８ａには頭付きで、中途部に環状溝４１ａが形成された連結軸４１が挿入される。この連結軸４１は係止具４２によって抜出不能に保持される。前記係止具４２は図１４と図１５に示すように合成樹脂によって矩形板状に形成された板状部４３を有する。
【００４２】
前記板状部４３は、前記中央フレーム部２４の幅方向の外面と、前記端部フレーム部２５の凹部３７の内面との間に形成される隙間ｇに挿入される。つまり、前記隙間ｇは前記中央フレーム部２４の幅寸法と前記凹部３７の幅寸法との差の半分の寸法となっていて、係止具４２は前記隙間ｇとほぼ同じ厚さ寸法に形成されている。
【００４３】
前記係止具４２の前記板状部４３の長手方向中途部には周方向全長にわたる鍔部４４が設けられている。前記板状部４３の前記鍔部４４よりも上方の部分には手指を入れることができる円形状の手掛け孔４５が形成されている。
【００４４】
前記鍔部４４よりも下方の部分には下端に開放する溝部４６が形成されている。この溝部４６の幅寸法は前記連結軸４１に形成された環状溝４１ａの外形寸法よりもわずかに小さく設定されている。前記溝部４６の上端部は円弧部４７に形成されている。前記溝部４６の側端部及び前記円弧部４７の内周端部はそれぞれ先端に行くにつれて厚さが薄くなるテーパ状の係合部４６ａ，４７ａに形成されている。
【００４５】
前記縦杆２７と前記縦部材３８との隙間ｇの前記連結軸４１が挿通された箇所に、前記係止具４２を上方から、前記溝部４６を弾性的に変形させながら、その溝部４６を前記連結軸４１の環状溝４１ａに弾性的に嵌め込む。そして、前記係止具４２を前記溝部４６の末端に形成された円弧部４７が前記連結軸４１に当たるまで押し込めば、前記円弧部４７の係合部４６ａが前記連結軸４１の環状溝４１ａに係合する。
【００４６】
それによって、前記連結軸４１が抜出不能に保持されるから、前記中央フレーム部２４に前記端部フレーム部２５が前記連結軸４１によって分解可能に連結される。しかも、前記係止具４２は前記中央フレーム部２４の幅方向の外面と、前記端部フレーム部２５の凹部３７の内面との隙間ｇに挿入されるから、これらフレーム部２４，２５ががた付くことなく連結されることになる。
【００４７】
連結された前記中央フレーム部２４と前記端部フレーム部２５を分解する場合には、前記係止具４２の手掛け孔４５に手を掛けてこの係止具４２の前記溝部４６を弾性的に変形させながら引き抜き、ついで前記連結軸４１を前記挿入孔２７ａ，３８ａから引き抜く。それによって、前記中央フレーム部２４と前記端部フレーム部２５を分解することができる。
【００４８】
つまり、前記中央フレーム部２４と前記端部フレーム部２５は工具などを用いることなく、組立てと分解を容易に、しかも迅速に行うことができる。
【００４９】
なお、図１と図４に示すように前記中央フレーム部２４の前記縦杆２７の上面と、前記端部フレーム部２５の縦部材３８の上面とには、それぞれ係止片４９ａ，４９ｂの一端が設けられている。これら係止片４９ａ，４９ｂの他端は、前記中央フレーム部２４に端部フレーム部２５を組み付けたとき、他方のフレーム部の上面に係合する。
【００５０】
それによって、前記中央フレーム部２４と前記端部フレーム部２５との上面が同一平面になるよう保持される。
【００５１】
図１、図４及び図６に示すように、前記中央フレーム部２４には、長手方向の一端部側に背上げ用軸５１が幅方向に沿って回転可能に支持され、長手方向の他端部側には脚上げ用軸５２が同じく幅方向に沿って回転可能に支持されている。
【００５２】
前記背上げ用軸５１の両端部には、先端にそれぞれローラ５３が回転可能に設けられた一対の背上げアーム５４が基端を固定して設けられている。さらに、前記背上げ用軸５１の軸方向の中途部には第１のリンク５５が固着されている。
【００５３】
前記脚上げ用軸５２の両端部には、先端にそれぞれローラ５６が回転可能に設けられた一対の背上げアーム５７が基端を固定して設けられている。さらに、前記脚上げ用軸５２の軸方向の中途部には第２のリンク５８が固着されている。
【００５４】
前記中央フレーム部２４の一対の前記縦杆２７には、前記背上げ用軸５１と前記脚上げ用軸５２の間に角筒状の上述した第１の支持部材６１と、同じく角筒状の第２の部材としての第２の支持部材６２が所定の間隔で架設されている。
【００５５】
前記第１の支持部材６１と、第２の支持部材６２とには、図７に示す起伏駆動ユニット６３が着脱可能に取付けられる。前記起伏駆動ユニット６３はユニットベース６４を有する。このユニットベース６４は、角筒状の連結杆６５を有する。この連結杆６５の長手方向の一端には第１の係止部材６６が取付けられている。この第１の係止部材６６は断面がコ字状をなしていて、その開放した側面を下方に向けて前記連結杆６５の一端に固着されている。
【００５６】
前記連結杆６５の他端には第２の部材としての第２の係止部材６７が取付けられている。この第２の係止部材６７は前記第１の係止部材６６と同様、断面がコ字状をなしていて、開放した側面を前記連結杆６５の長手方向外方に向けて前記連結杆６５の他端に固着されている。
【００５７】
前記第２の係止部材６７は、上側に位置する側辺が下側に位置する側辺よりもわずかに長く形成されている。しかも、前記第２の係止部材６７の上側に位置する側辺と、下側に位置する側辺との間隔は前記中央フレーム部２４に設けられた前記第２の支持部材６２の高さ寸法よりもわずかに大きく設定されている。
【００５８】
なお、前記第１の係止部材６６と前記第２の係止部材６７は、一対の前記支持部材６１，６２ほぼ同じ間隔で設けられている。
【００５９】
なお、上述した第１の部材、第２の部材及び前記係止具によって、前記第１の部材と前記第２の部材を分解可能に連結する連結装置を構成している。
【００６０】
前記第１の部材と第２の部材との形状はなんら限定されるものでなく、要は２つの部材が所定の間隔の隙間を介して配置されるものであれば、前記係止具を用いて分解可能に連結することができる。
【００６１】
前記第１の係止部材６６には脚用駆動源６８がその駆動軸６９を前記第２の係止部材６７の方向に向けて取付けられている。前記第２の係止部材６７には背用駆動源７０がその駆動軸７１を前記第１の係止部材６６の方向に向けて取付けられている。これら駆動源６８，７０の駆動軸６９，７１は直線、つまりリニア駆動されるようになっている。
【００６２】
上述した構成の前記起伏駆動ユニット６３は、前記上下フレーム２３の前記中央フレーム部２４の一対の前記支持部材６１，６２に、以下に説明するように着脱可能に取付けられる。
【００６３】
すなわち、図６に示す前記起伏駆動ユニット６３の前記第１の係止部材６６側を前記第２の係止部材６７側よりも高くなるよう前記起伏駆動ユニット６３を保持した状態で、前記第２の係止部材６７を図６に示す前記第２の支持部材６２に係合させる。ついで、前記起伏駆動ユニット６３をスライドさせて前記第２の係止部材６７を前記第２の支持部材６２に嵌め込みながら、前記第１の係止部材６６側を下降させ、この第１の係止部材６６側を前記第２の支持部材６２に上方から外嵌させる。
【００６４】
それによって、上記起伏駆動ユニット６３は前記中央フレーム部２４の一対の前記支持部材６１，６２によって保持される。
【００６５】
図１３に示すように、前記第２の係止部材６７の長手方向一端部の上辺と下辺には対応する位置に第１の挿入孔７３が穿設されている。前記第２の支持部材６２の長手方向一端部には前記第１の挿入孔７３と対向する第２の挿入孔７４が上下方向に貫通して穿設されている。
【００６６】
対向位置する前記第１、第２の挿入孔７３，７４には前記中央フレーム部２４と前記端部フレーム部２５との連結に用いたものとほぼ同様の構造の連結軸４１が挿通される。そして、前記連結軸４１は、前記第２の係止部材６７の下面と前記第２の支持部材６２の上面との間の隙間ｇに挿入される係止具４２によって抜出しないよう弾性的に保持される。
【００６７】
前記係止具４２は、前記中央フレーム部２４と前記端部フレーム部２５との連結に用いたものと同様、合成樹脂によって同じ構造に形成されているので、ここでは詳細な説明は省略する。
【００６８】
なお、前記中央フレーム部２４と前記端部フレーム部２５との連結に用いた前記連結軸４１と、前記第２の支持部材６２と前記第２の係止部材６７との連結に用いた前記連結軸４１とでは軸部分の長さや前記環状溝４１ａの位置が異なっている。
【００６９】
このように、前記起伏駆動ユニット６３は前記上下フレーム２３の前記中央フレーム部２４に対して着脱可能に設けられている。したがって、前記起伏駆動ユニット６３は前記上下フレーム２３に組み付けられた状態から、以下の手順で分解することができる。
【００７０】
すなわち、最初に前記起伏駆動ユニット６３が前記上下フレーム２３に組み付けられた状態から、前記係止具４２の前記手掛け孔４５に指を掛け、前記係止具４２を前記第２の係止部材６７と前記第２の支持部材６２との隙間ｇから弾性的に引き抜き、それに続いて前記連結軸４１を引き抜く。
【００７１】
ついで、前記ユニットベース６４の前記第１の係止部材６６側を上昇させ、この第１の係止部材６６と前記第１の支持部材６１との係合を外しながら、前記第２の係止部材６７が前記第２の支持部材６２から外れる方向に前記ユニットベース６４を移動させる。  
それによって、前記起伏駆動ユニット６３を前記中央フレーム部２４から取り外すことができる。
【００７２】
すなわち、前記起伏駆動ユニット６３は前記上下フレーム２３に対して着脱可能であり、しかも作業者が工具などを用いることなく、前記連結軸４１と前記係止具４２とを着脱することによって、前記中央フレーム部２４に対して迅速に、しかも容易に行うことができるようになっている。
【００７３】
前記起伏駆動ユニット６３を前記上下フレーム２３に取付けた後、前記起伏駆動ユニット６３の前記脚用駆動源６８の駆動軸６９の前端は前記脚上げ用軸５２に設けられた前記第２のリンク５８に図示しない連結軸を用いて分解可能に連結される。
【００７４】
また、前記背用駆動源７０の駆動軸７１の先端は前記背上げ用軸５１に設けられた第１のリンク５５に同じく図示しない連結軸を用いて着脱可能に連結される。
【００７５】
図１乃至図３に示すように、前記上下フレーム２３の上面には床板体７７が設けられる。この床板体７７は複数の床部に分割されている。すなわち、前記床板体７７は前記上下フレーム２３の前記中央フレーム部２４の長手方向中央部にねじ止めなどによって取り外し可能に取付けられる固定床部７７ａを有する。この固定床部７７ａの一側には背床部７７ｂが一側を回動可能に連結されている。
【００７６】
前記固定床部７７ａの他側には第１の脚床部７７ｃが一側を回動可能、かつ分解可能に連結して設けられている。前記第１の脚床部７７ｃの他側には第２の脚床部７７ｄが一側を回動可能に連結して設けられている。
【００７７】
前記上下フレーム２３の上面に設けられた前記床板体７７の前記背床部７７ｂの下面には前記背上げアーム５４の先端に設けられた前記ローラ５３が対向位置し、前記第１の脚床部７７ｃの下面には前記背上げアーム５４の先端に設けられた前記ローラ５６が対向位置する。
【００７８】
前記背上げアーム５４が前記背用駆動源７０によって起上方向に駆動されると、前記背上げアーム５４の先端に設けられた前記ローラ５３によって前記背床部７７ｂが起上方向に押し上げられる。
【００７９】
前記脚上げアーム５７が起上方向に駆動されると、その先端に設けられた前記ローラ５６によって前記第１の脚床部７７ｃが上昇方向に押し上げられ、この第１の脚床部７７ｃに前記第２の脚床部７７ｄが連動して上昇する。
【００８０】
このとき、前記第２の脚床部７７ｄは、詳細は図示しないが、一端を前記第２の脚床部７７ｄの下面に枢支され他端が前記中央フレーム部２４の幅方向の両端部にスライド可能に支持された、一対の支持リンク７８（図１に示す）によって上昇した状態で保持されるようになっている。
【００８１】
なお、前記床板体７７の上面には図示しないマットレスが載置され、このマットレス上に利用者が仰臥することになる。
【００８２】
このように構成されたベッド装置によれば、このベッド装置は図１に示すようにベースフレーム１、このベースフレーム１に設けられる上下駆動ユニット１３、この上下駆動ユニット１３に取付けられる上下フレーム２３、この上下フレーム２３上に設けられる床板体７７をそれぞれ分割することができる。
【００８３】
前記上下フレーム２３は中央フレーム部２４と一対の端部フレーム部２５とに分割することができるばかりか、前記中央フレーム部２４から起伏駆動ユニット６３を分割することができる。さらに、前記床板体７７は固定床部７７ａと背床部７７ｂに対して第１、第２の脚床部７７ｃ，７７ｄを分割することができる。つまり、ベッド装置を複数の部分、この実施の形態では８つの部分に分割することができる。
【００８４】
したがって、ベッド装置を工場から病院などの納入先へ出荷する際や、納入先で搬入する際などの作業を容易に、しかも迅速に行うことが可能となる。
【００８５】
前記ベースフレーム１に対する前記上下駆動ユニット１３の取り付けは、前記ベースフレーム１に立設された前記支持部材６の上端に設けられた前記受け部材７の受け部８に、前記駆動アーム２１の先端に設けられた前記支軸２０を支持する。
【００８６】
ついで、前記受け部材７に形成された差込み孔９に前記ストッパ部材１１を挿入し、このストッパ部材１１を前記受け部材７に弾性的に係合させることで、前記受け部材７に前記支軸２０が取り付けられている。
【００８７】
つまり、前記受け部材７に対して前記ストッパ部材１１を着脱することで、前記ベースフレーム１に対して前記上下駆動ユニット１３を組み付けたり、組み付け状態を分解することができる。
【００８８】
そのため、前記ベースフレーム１に対する前記上下駆動ユニット１３の組み付けや分解を、作業者は工具を用いることなく、容易に、しかも迅速に行うことができる。
【００８９】
前記上下フレーム２３の中央フレーム部２４と端部フレーム部２５とは、前記中央フレーム部２４の縦杆２７に形成された挿入孔２７ａと、前記端部フレーム部２５の縦部材３８に形成された挿入孔３８ａとに前記連結軸４１を挿通して中央フレーム部２４と端部フレーム部２５を連結する。
【００９０】
そして、前記縦杆２７と前記縦部材３８との隙間ｇに前記係止具４２を差し込み、この係止具４２を前記連結軸４１に対して弾性的に変形させながら、その溝部４６の上端に設けられた円弧部４７を前記連結軸４１に形成された環状溝４１ａに係合させることで、前記連結軸４１が前記挿入孔２７ａ，３８ａから抜け出ないよう保持するようにしている。
【００９１】
そのため、前記上下フレーム２３の前記中央フレーム部２４と、この中央フレーム部２４の両端部に設けられる一対の前記端部フレーム部２５との組立てや分解も、前記挿入孔２７ａ，３８ａに対して前記連結軸４１を挿脱したり、前記中央フレーム部２４と前記端部フレーム部２５との隙間ｇに前記係止具４２を挿脱することで行える。
【００９２】
つまり、前記中央フレーム部２４と端部フレーム部２５との分解組立ても、前記ベースフレーム１と前記上下駆動ユニット１３の分解及び組立てと同様、作業者は工具を用いずに容易に、しかも迅速に行うことができる。
【００９３】
前記脚用駆動源６８と背用駆動源７０は前記ユニットベース６４を用いてユニット化して起伏駆動ユニット６３とした。
【００９４】
そして、前記ユニットベース６４を構成する断面コ字状の前記第１、第２の係止部材６６，６７のうちの、前記第２の係止部材６７を、前記上下フレーム２３の前記中央フレーム部２４に設けられた前記第２の支持部材６２に横方向から係合させながら、前記第１の係止部材６６を前記第１の支持部材６１に上方から係合させる。
【００９５】
ついで、前記第２の係止部材６７と前記第２の支持部材６２に形成された前記第１、第２の挿入孔７３，７４に前記連結軸４１を挿入し、前記第２の係止部材６７の下辺と、前記第２の支持部材６２の下面との隙間ｇに、前記係止具４２を弾性的に挿入する。そして、前記係止具４２を前記連結軸４１の環状溝４１ａに係合させることで、前記連結軸４１が抜出しないよう保持するようにしている。
【００９６】
そのため、前記上下フレーム２３に対する前記起伏駆動ユニット６３の組立てや分解は、前記連結軸４１を前記第１、第２の挿入孔７３，７４に挿脱したり、前記係止具４２を前記第２の係止部材６７と、前記第２の支持部材６２との隙間に挿脱することで行える。
【００９７】
したがって、前記起伏駆動ユニット６３の前記中央フレーム部２４に対する組立てや分解は、前記上下フレーム２３の前記中央フレーム部２４と一対の前記端部フレーム部２５との組立てや分解と同様、作業者は工具を用いることなく、容易かつ迅速に行うことができる。
【００９８】
前記起伏駆動ユニット６３は前記脚用駆動源６８及び前記背用駆動源７０を有するため、高重量化することが避けられない。しかしながら、前記起伏駆動ユニット６３を前記上下フレーム２３の前記中央フレーム部２４から取り外しことができるようにしたことで、前記中央フレーム部２４の運搬などの都立扱いを容易に行うことが可能となる。
【００９９】
しかも、前記起伏駆動ユニット６３を前記中央フレーム部２４から取り外すことで、前記起伏駆動ユニット６３の取り扱いも容易となるから、分解されたベッド装置の運搬作業や組立て作業を迅速に、しかも容易に、しかも迅速に行うことが可能となる。
【０１００】
前記中央フレーム部２４に組み込まれた前記起伏駆動ユニット６３の前記脚用駆動源６８、或いは前記背用駆動源７０を作動させ、前記脚床部７７ｃ，７７ｄや前記背床部７７ｂを起伏駆動すると、駆動時の反力が前記起伏駆動ユニット６３の前記ユニットベース６４を介して前記中央フレーム部２４に加わる。
【０１０１】
前記ユニットベース６４の断面コ字状の第１の係止部材６６は前記中央フレーム部２４の前記第１の支持部材６１に上方から嵌合し、断面コ字状の前記第２の係止部材６７は前記第２の支持部材６２に側方から嵌合している。
【０１０２】
そのため、前記脚用駆動源６８、或いは前記背用駆動源７０を作動させたときに生じる反力のうち、前記第１の係止部材６６によって前記ユニットベース６４に加わる前後方向の反力が抑えられ、前記第２の係止部材６７によって上下方向の反力が抑えられる。
【０１０３】
そのため、前記脚用駆動源６８、或いは前記背用駆動源７０を作動させたときに生じる前後方向あるいは上下方向の反力よって前記起伏駆動ユニット６３が前記中央フレーム部２４に対してがた付くのを確実に防止することができる。
【０１０４】
なお、上述した一実施の形態では前記起伏駆動ユニット６３に前記脚用駆動源６８と前記背用駆動源７０を設けたが、ベッド装置によっては脚床部を起伏駆動させない構造があり、その場合、前記起伏駆動ユニット６３は前記背用駆動源７０だけを設けられる構造となる。
【符号の説明】
【０１０５】
１…ベースフレーム、６…支持部材、７…受け部材、８…受け部、９…差込み孔、１１…ストッパ部材、１３…上下駆動ユニット、１４…回転軸、１５…上下用駆動源、２１…駆動アーム、２３…上下フレーム、２４…中央フレーム部、２５…端部フレーム部、４１…連結軸、４１ａ…環状溝、４２…係止具、６３…起伏駆動ユニット、６６…第１の係止部材、６７…第２の係止部材、６８…脚用駆動源、７０…背用駆動源、７７…床板体。
【図１】
2018153321.tif 000003
【図２】
2018153321.tif 000004
【図３】
2018153321.tif 000005
【図４】
2018153321.tif 000006
【図５】
2018153321.tif 000007
【図６】
2018153321.tif 000008
【図７】
2018153321.tif 000009
【図８】
2018153321.tif 000010
【図９】
2018153321.tif 000011
【図１０】
2018153321.tif 000012
【図１１】
2018153321.tif 000013
【図１２】
2018153321.tif 000014
【図１３】
2018153321.tif 000015
【図１４】
2018153321.tif 000016
【図１５】
2018153321.tif 000017